(57)【特許請求の範囲】
【請求項１】
片手で保持し得る携帯情報機器に装着され、
ゼンマイ状に丸まりながら縮まるバネ性を有し、前記携帯情報機器の画面部または入力部を覆うカバー部と、
前記カバー部に取り付けられ、前記携帯情報機器の画面部または入力部を覆う場合に前記カバー部を前記携帯情報機器に係止するための係止部と
を備え、
さらに前記係止部は前記携帯情報機器本体に常時係止される第１の係止部と、
前記携帯情報機器の画面部または入力部の使用時に係止状態を開放する第２の係止部とからなり、
前記カバー部は前記携帯情報機器の画面部または入力部を覆う状態から覆わない状態に移行する場合には、
前記カバー部は前記第２の係止部の係止を外すことにより当該カバー部のバネ性によって前記第１の係止部に向かって自動的にゼンマイ状に丸まりながら縮まり、
前記携帯情報機器の画面部または入力部を開放することを特徴とする携帯情報機器用蓋。
【請求項２】
ゼンマイ状に丸まった前記カバー部が前記携帯情報機器の端部に位置することを特徴とする請求項１記載の携帯情報機器用蓋。
【請求項３】
前記第２の係止部を係止したとき、バネ性により前記カバー部が携帯情報機器の表面に対し円弧状をなし、少なくとも一部が浮いた状態となることを特徴とする請求項１記載の携帯情報機器用蓋。
【請求項４】
前記カバー部は心材として金属製板バネを使用し、表面を薄い合皮もしくはゴムなどの柔軟材料としたことを特徴とする請求項１記載の携帯情報機器用蓋。
【請求項５】
片手で保持し得る携帯情報機器であって、画面部または入力部を有するとともに、請求項１記載の携帯情報機器用蓋を備え、前記携帯情報機器不使用時には前記携帯情報機器用蓋が前記画面部または入力部を覆うことを特徴とする携帯情報機器。
【発明の詳細な説明】
【０００１】
【発明の属する技術分野】
本発明は、手書き入力、片手保持片手ボタン入力、両手保持両手ボタン入力を前提とした携帯情報機器の画面部または入力部を保護するための蓋および蓋が取り付けられる携帯情報機器に関するものである。
【０００２】
【従来の技術】
近年、情報機器の小型化、パーソナル化に伴い、片手で保持し得るハンディタイプの携帯情報機器の需要が増加している。代表的なものとしては、片手で機器を保持し、入力手段を備えた平面ディスプレイに、もう一方の手で手書き入力を行うものがある。手書き入力可能な携帯情報機器は、広いスペースがない電車や車、屋外といった環境での使用に適している。
【０００３】
以下、従来の携帯情報機器について図面を用いて説明する。
【０００４】
図５は従来の携帯情報機器の操作状態を示す斜視図である。図において、２１は携帯情報機器の本体部、２２は表示および入力を行う液晶画面、２３は操作ボタン、２４は操作者の手、２５は入力ペンである。本体部２１は片手での保持のし易さ、保持状態での液晶画面２２の見易さなどから縦長形状となっている。
【０００５】
以上のように構成された携帯情報機器において、操作者は手２４で携帯情報機器の本体部２１を保持し、入力は液晶画面２２への入力ペン２５等による入力や操作ボタン２３によって行う。そして、入力結果等は液晶画面２２に表示される。
【０００６】
【発明が解決しようとする課題】
この種のハンディタイプの携帯情報機器では、携帯性を高めるために、機器の薄型軽量化と、表示入力部である液晶画面の大型化が進んでいる。
【０００７】
一方では、液晶の大型化により、破損するトラブルが増加する傾向にあり、液晶画面を保護するための蓋等の要請がされている。
【０００８】
しかしながら、携帯情報機器本体の薄型化、液晶の大型化により、携帯情報機器本体の剛性は奪われており、樹脂等の蓋を保持する機構（ヒンジ機構など）を本体に設けることが困難である。
【０００９】
さらに、蓋も薄型軽量化を図る必要があるため、蓋自体も薄肉で剛性がなく、破損する恐れがあった。
【００１０】
さらに、この種のハンディタイプの携帯情報機器では、左右側面に操作部、入力端子部、上面にもバーコード等の入力部や、アンテナを持つものまで現れ、裏面にも片手保持を確実にするためのベルトなどを設ける必要もあった。このため、構造上、蓋を取り付けるスペースが確保できない、また、取り付ける場合であっても、片手で携帯情報機器本体を保持するため、上端、または下端に取り付けるしかなかった。ところがこの場合、蓋は縦長の形状となるため、開いた状態では邪魔になり更に強度の面で不利となり破損しやすくなってしまう。
【００１１】
このように、蓋を携帯情報機器本体に設けることが非常に困難となっている。
【００１２】
本発明は上記事情の下でなされ、手書き入力、ボタン入力などの際の携帯情報機器本体の片手保持と蓋との両立を果たし、尚かつ、壊れにくい単純構造を蓋部、本体部に設け、操作時には小さく収まり、操作時の蓋の煩わしさ、破損などのトラブルを解消する携帯情報機器用蓋および携帯情報機器用蓋が取り付けられた携帯情報機器を提供することを目的とする。
【００１３】
【課題を解決するための手段】
この課題を解決するために本発明は、携帯情報機器用蓋の一部がバネ性を有し、携帯情報機器の画面部または入力部を覆う状態から覆わない状態にしたとき、ゼンマイ状に自動的に丸まるように形態を変化させるものである。
【００１４】
これにより、携帯情報機器本体の片手保持と蓋との両立を果たし、尚かつ、蓋部、本体部とも壊れにくく、操作時には小さく収まり、蓋の煩わしさ、破損などのトラブルが解消される。
【００１５】
【発明の実施の形態】
本発明の請求項１に記載の発明は、
片手で保持し得る携帯情報機器に装着され、
ゼンマイ状に丸まりながら縮まるバネ性を有し、前記携帯情報機器の画面部または入力部を覆うカバー部と、
前記カバー部に取り付けられ、前記携帯情報機器の画面部または入力部を覆う場合に前記カバー部を前記携帯情報機器に係止するための係止部とを備え、
さらに前記係止部は前記携帯情報機器本体に常時係止される第１の係止部と、
前記携帯情報機器の画面部または入力部の使用時に係止状態を開放する第２の係止部とからなり、
前記カバー部は前記携帯情報機器の画面部または入力部を覆う状態から覆わない状態に移行する場合には、
前記カバー部は前記第２の係止部の係止を外すことにより当該カバー部のバネ性によって前記第１の係止部に向かって自動的にゼンマイ状に丸まりながら縮まり、
前記携帯情報機器の画面部または入力部を開放することを特徴とする携帯情報機器用蓋であり、
カバー部の形態の変化により、携帯情報機器の携帯時には画面部または入力部を覆う機能を有し、操作時には邪魔にならないという作用を有する。
【００１８】
請求項２に記載の発明は、
ゼンマイ状に丸まった前記カバー部が前記携帯情報機器の端部に位置することを特徴とする請求項１記載の携帯情報機器用蓋であり、
携帯情報機器本体を片手保持する際に邪魔にならないという作用を有する。
【００１９】
請求項３に記載の発明は、
前記第２の係止部を係止したとき、バネ性により前記カバー部が携帯情報機器の表面に対し円弧状をなし、少なくとも一部が浮いた状態となることを特徴とする請求項１記載の携帯情報機器用蓋であり、
携帯時に、カバー部が湾曲した状態を保ち蓋自体の剛性を高めることにより、カバー部と液晶画面の間に空間を設ける事が出来、画面部または入力部を正面の衝撃から保護する緩衝材となるという作用を有する。
【００２０】
請求項４に記載の発明は、
前記カバー部は心材として金属製板バネを使用し、表面を薄い合皮もしくはゴムなどの柔軟材料としたことを特徴とする請求項１記載の携帯情報機器用蓋であり、
携帯情報機器の画面部または入力部を損傷することなく、衝撃から保護できるという作用を有する。
【００２１】
請求項５に記載の発明は、
片手で保持し得る携帯情報機器であって、画面部または入力部を有するとともに、請求項１記載の携帯情報機器用蓋を備え、前記携帯情報機器不使用時には前記携帯情報機器用蓋が前記画面部または入力部を覆うことを特徴とする携帯情報機器であり、
片手保持のままで蓋を開閉でき、操作時に蓋が邪魔にならないという作用を有する。
【００２２】
以下に、本発明の実施の形態を図面を用いて説明する。
【００２３】
（実施の形態１)
図１は、本発明の一実施の形態に係る携帯情報機器用蓋および携帯情報機器の携帯状態を示すもので、図１（ａ）は斜視図、図１（ｂ）は手で保持した状態を示す正面図である。また、図２は使用状態を示すもので、図２（ａ）は斜視図、図２（ｂ）は手で保持した状態を示す正面図である。また、図３は種々の使用状態を示す正面図、図４は携帯状態の断面図である。図において、１は携帯情報機器の本体部、２は表示および入力を行う液晶画面、３は操作ボタン、４は携帯情報機器用蓋で、カバー部４ａとバンド５とから構成され、カバー部４ａは一端にバンド５が取り付けられ、反対側の一端は携帯情報機器の本体部１にネジ（図示せず）で固定されている。また、カバー部４ａは金属製板バネ４ｂを心材として使用し、表面を薄い合皮もしくはゴムなどの柔軟材料で覆っている。６は操作者の手、７は入力ペンである。
【００２４】
以上のように構成された携帯情報機器において、携帯時には携帯情報機器用蓋４のカバー部４ａの先端のバンド５が携帯情報機器の本体部１の溝１ａに引っ掛けられている。これによって、液晶画面２、操作ボタン３が覆われる。そしてこの状態で手５で保持して持ち運ぶことができる。次に、使用時には操作者は手６で保持した状態でもう一方の手でバンド５を携帯情報機器の本体部１の溝１ａから外す。すると、カバー部４ａは心材である金属製板バネ４ｂのバネ性により自動的にゼンマイ状に丸まりながら縮まり、図２の状態になる。そして、この状態で、液晶画面２への表示および入力ペン７等による入力を行ったり、操作ボタン３を操作することができる。図３は種々の使用状態を示すものであるが、いずれの場合においても携帯情報機器用蓋４はカバー部４ａが携帯情報機器の本体部１の端部でゼンマイ状に縮まっているため、操作の邪魔になることはない。また、液晶画面２に表示される入力結果等を見る場合にも邪魔にならない。従って、蓋の破損などの問題も生じない。
【００２５】
また、携帯時に携帯情報機器用蓋４のカバー部４ａの先端のバンド５が携帯情報機器の本体部１に引っ掛けられ、液晶画面２、操作ボタン３が覆われるとき、図４の正面と側面の断面図で示すように、カバー部４ａは心材である金属製板バネ４ｂのバネ性により円弧状になって装着される。これによって、一部が浮いた状態となるため、携帯時に、カバー部４ａが湾曲した状態を保ち蓋自体の剛性が高まり、緩衝材として液晶画面２や操作ボタン３を正面の衝撃から保護することができる。
【００２６】
なお、本実施の形態では、携帯情報機器用蓋４のカバー部４ａの一端をネジによって固定したが、接着等による固定でもよく、あるいは、着脱が容易にできるような取り付け方法でもよい。
【００２７】
また、カバー部４ａをバネ性のない柔軟性の材料で構成し、他のバネ部品等で自動的に巻き取るようにしてもよい。
【００２８】
【発明の効果】
本発明は、携帯情報機器用蓋および携帯情報機器用蓋が取り付けられた携帯情報機器において、手書き入力、ボタン入力などの際の携帯情報機器本体の片手保持と蓋との両立を果たし、尚かつ、壊れにくい単純構造を蓋部、本体部に設け、操作時には小さく収まり、操作時の蓋の煩わしさ、破損などのトラブルを解消することができるという有利な効果を得ることができる。
【図面の簡単な説明】
【図１】本発明の一実施の形態に係る携帯情報機器用蓋および携帯情報機器の携帯状態を示す斜視図、および手で保持した状態を示す正面図
【図２】本発明の一実施の形態に係る携帯情報機器用蓋および携帯情報機器の操作状態を示す斜視図、および手で保持した状態を示す正面図
【図３】本発明の一実施の形態に係る携帯情報機器の種々の使用状態を示す正面図
【図４】本発明の一実施の形態に係る携帯情報機器用蓋および携帯情報機器の携帯状態の断面図
【図５】従来の携帯情報機器の操作状態を示す斜視図
【符号の説明】
１  本体部
１ａ  溝
２  液晶画面
３  操作ボタン
４  携帯情報機器用蓋
４ａ  カバー部
５  バンド
６  手
７  入力ペン
【図１】
0003849515.tif 000002
【図２】
0003849515.tif 000003
【図３】
0003849515.tif 000004
【図４】
0003849515.tif 000005
【図５】
0003849515.tif 000006